(57)【特許請求の範囲】
【請求項１】
碍子の外周部を包囲するカバー本体と、前記碍子の延在方向に沿って前記カバー本体に間隔をおいて設けられ環状の一部が切り開かれた形状を有する複数の骨格部材とを備えてなり、
前記各骨格部材が同一方向に開口するように各骨格部材を設け、側面の一部が全長に渡って開口する一部開口形状に形成したことを特徴とする碍子カバー。
【請求項２】
前記側面に開口した側面開口部を挟んで対向する前記カバー本体の各縁部に、互いに係合する対を成す係合部を長さ方向に間隔をおいて複数設け、前記各係合部によって対向した縁部を連結可能に構成したことを特徴とする請求項１記載の碍子カバー。
【請求項３】
前記碍子の前記外周部を包囲する際に前記碍子の両側に開口部を形成する前記カバー本体の周縁部に沿って、紐を挿通させる挿通部を設けたことを特徴とする請求項１または２記載の碍子カバー。
【発明の詳細な説明】
【０００１】
【発明の属する技術分野】
本発明は、碍子を養生する碍子カバーに関する。
【０００２】
【従来の技術】
従来、図１１に示すように送電線の鉄塔１１１には、電線１１２を絶縁し支持する碍子１１３が取り付けられている。碍子１１３は、一列に並んだ磁器からなる複数の絶縁体１１３ａと、この絶縁体１１３ａを支持する支持部材１１３ｂとから構成されており、支持部材１１３ｂの両端がそれぞれ鉄塔１１１および電線１１２に接続されている。
【０００３】
ところで、例えば鉄塔１１１を塗装する場合には、塗料が飛散して碍子１１３の絶縁体１１３ａに付着するため絶縁性の低下が心配される。これを解決するために作業者は、図１２に示すように鉄塔１１１を塗装する前に碍子カバー１１４を碍子１１３に取り付けて絶縁体１１３ａを養生することにより、飛散した塗料が絶縁体１１３ａに付着するのを防止している。
【０００４】
この碍子カバー１１４は、碍子１１３の外周部を包囲するカバー本体１１５から構成されている。このカバー本体１１５は合成樹脂製の四角形状のシートである。碍子１１３に取り付ける際には、カバー本体１１５を碍子１１３の絶縁体１１３ａに巻いた後、カバー本体１１５の中央部分をロープ１１６で巻いて縛り止めをする。さらに、碍子１１３の両側で開口部を形成しているカバー本体１１５の周縁部１１７を支持部材１１３ｂにロープ１１６で縛り付けている。
【０００５】
【発明が解決しようとする課題】
しかしながら、高所に設置された碍子に碍子カバー１１４の取り付けおよび取り外し作業を行う場合には、低所に比べて風が強くなることからカバー本体１１５が大きくなびいて作業効率が低く、取り付けおよび取り外し作業に時間がかかる問題があった。
【０００６】
本発明は、かかる従来の課題に鑑みてなされたものであり、取り付けおよび取り外し作業にかかる時間を短縮することができる碍子カバーを提供することを目的とする。
【０００７】
【課題を解決するための手段】
前記課題を解決するために請求項１記載の発明においては、碍子の外周部を包囲するカバー本体と、前記碍子の延在方向に沿って前記カバー本体に間隔をおいて設けられ環状の一部が切り開かれた形状を有する複数の骨格部材とを備えてなり、前記各骨格部材が同一方向に開口するように各骨格部材を設け、側面の一部が全長に渡って開口する一部開口形状に形成した。
【０００８】
かかる構成においては、カバー本体が骨格部材によって碍子の外周部に沿って湾曲するとともに碍子の延在方向に蛇腹状となるので、カバー本体を湾曲した状態のままで碍子の延在方向に伸縮させることが可能となる。
【０００９】
このため、碍子に取り付ける際には予め湾曲させて長さを縮めたカバー本体を碍子の一端側から湾曲した状態のままで碍子の他端側に伸ばすことができ、碍子から取り外す際にはカバー本体を碍子の一端側から湾曲した状態のままで碍子の他端側に縮めることができる。これにより、取り付けおよび取り外しの際には、カバー本体が風でなびいてしまうのを抑えることができるので、作業効率を向上させることができる。
【００１０】
また、碍子に取り付けた状態でも、骨格部材によりカバー本体が湾曲した状態が維持されるため、風でカバー本体がめくれてしまうのを抑えることができる。
【００１１】
また、収容する際にはカバー本体を湾曲した状態のままで長さを縮めることによりコンパクトにすることができるとともに、すぐに使用可能な状態にしておくことができる。
【００１２】
また、請求項２記載の発明においては、前記側面に開口した側面開口部を挟んで対向する前記カバー本体の各縁部に、互いに係合する対を成す係合部を長さ方向に間隔をおいて複数設け、前記各係合部によって対向した縁部を連結可能に構成した。
【００１３】
かかる構成において、碍子に取り付ける際には一対の係合部を互いに係合させることによりカバー本体の双方の縁部を固定することができ、碍子から取り外す際には係合部を解除することによりカバー本体の双方の縁部を外すことができる。このため、ロープを別に用意してカバー本体の双方の縁部を固定したり外したりする場合に比べて作業効率をさらに向上させることができる。
【００１４】
また、請求項３記載の発明においては、前記碍子の前記外周部を包囲する際に前記碍子の両側に開口部を形成する前記カバー本体の周縁部に沿って、紐を挿通させる挿通部を設けたものとしている。
【００１５】
かかる構成において、碍子に取り付ける際には挿通部に挿通させた紐で周縁部を引き締めて碍子の両側に縛り付けることによりカバー本体を碍子に固定することができ、碍子から取り外す際には紐をほどいて周縁部を緩めることによりカバー本体を碍子から外すことができる。このため、ロープを別に用意して、カバー本体を碍子に固定したり碍子から外したりする場合に比べて作業効率をさらに向上させることができる。
【００１６】
【発明の実施の形態】
以下、本発明の一実施の形態を図にしたがって説明する。
【００１７】
図１は本発明の一実施の形態を示す碍子１の側面図であり、図２は碍子１を養生する本発明の碍子カバー１１の側面図である。碍子１は、一列に並んだ磁器からなる複数の絶縁体１ａと、この絶縁体１ａを支持する支持部材１ｂとから構成されており、支持部材１ｂの両端はそれぞれ鉄塔２および電線３に接続されている。
【００１８】
一方、碍子カバー１１は、碍子１の外周部を包囲するカバー本体１２と、碍子１の延在方向Ａに沿ってカバー本体１２の内周面１３に間隔をおいて設けられた複数の骨格部材２１とから構成されている。このカバー本体１２は、合成樹脂製の四角形状のシートを骨格部材２１により碍子１の外周部に沿って湾曲させたものである。
【００１９】
図３は、骨格部材２１の縦断面図である。骨格部材２１は環状の一部が切り開かれた形状を有するとともに、各々の骨格部材２１が同一方向に開口しており、カバー本体１２の内周面１３に沿って湾曲して配置されたピアノ線２２と、このピアノ線２２を被覆して内周面１３に超音波溶着された合成樹脂製の被覆シート２３とから構成されている。
【００２０】
カバー本体１２は骨格部材２１のピアノ線２２によって、碍子１の外周部に沿って湾曲した状態が維持されているとともに、碍子１の延在方向Ａに沿って蛇腹状となっていることから、カバー本体１２を湾曲した状態のままで碍子１の延在方向Ａに伸縮させることが可能となっている。
【００２１】
また、カバー本体１２には、碍子１の外周部を包囲する際に合わせられる双方の縁部１４に、互いに係合される一対の係合部３１が間隔をおいて設けられている。図４は係合部３１の拡大図である。係合部３１は、カバー本体１２の双方の縁部１４の下側縁部１４ａに下側固定金具３２ａで固定されたリング状の第一の留金３３と、上側縁部１４ｂに上側固定金具３２ｂで固定されたリング状の第二の留金３４に掛けられたＣ字型のフック３５とから構成されている。
【００２２】
フック３５は、一方の端部３５ａがピン３５ｂを軸にして内側に曲がるようになっている。このため、第一の留金３３の先端部３３ａをフック３５の端部３５ａに押し当て、図５に示すように第一の留金３３をフック３５に引っ掛けて互いに係合させることにより、カバー本体１２の双方の縁部１４を固定するようになっている。
【００２３】
また、カバー本体１２には、碍子１の外周部を包囲する際に碍子１の両側に開口部１５を形成する周縁部１６に沿って、紐４１を挿通させる挿通部４２が設けられている。図６は周縁部１６の拡大図である。挿通部４２は、内側に折り曲げられた周縁部１６の縁１６ａがカバー本体１２の内周面１３に共縫いされて袋状となっており、両開口縁４２ａからは挿通部４２に挿通された紐４１の両側４１ａが出ている。このため、紐４１の両側４１ａを引っ張っることにより周縁部１６が縮まり開口部１５が締まるようになっている。
【００２４】
かかる構成において、碍子１に取り付ける際に作業者は、予め湾曲させて長さを縮めたカバー本体１２を碍子１の設置場所に持っていき、図７に示すようにカバー本体１２の双方の縁部１４を広げて電線３側の支持部材１ｂを囲み、紐４１の両側４１ａを引っ張って支持部材１ｂとの隙間がなくなるまで周縁部１６を縮めた後、紐４１を支持部材１ｂに縛り付ける。
【００２５】
次に、カバー本体１２を鉄塔２側の方向（図７の矢印Ｂ方向）に引き伸ばしながら開口部１５を介してカバー本体１２内に碍子１の絶縁体１ａを入れていく。このときに、カバー本体１２は骨格部材により湾曲した状態が維持されているため、風でカバー本体１２がなびいてしまうのを抑えることができる。
【００２６】
また、カバー本体１２を伸ばしていくとともに、電線３側の係合部３１から図５に示したように第一の留金３３をフック３５に引っ掛けて互いに係合させてカバー本体１２の双方の縁部１４を固定する。このため、ロープを用意しカバー本体１２に巻いて縛り止めをしていく場合に比べて、カバー本体１２の双方の縁部１４を容易に固定することができる。
【００２７】
そして、図８に示すように、カバー本体１２を伸ばして鉄塔２側の絶縁体１ａまで包囲した後、さらに鉄塔２側の支持部材１ｂを囲み、紐４１の両側４１ａを引っ張って支持部材１ｂとの隙間がなくなるまで周縁部１６を縮めて紐４１を支持部材１ｂに縛り付ける。この結果、碍子１の絶縁体１ａを包囲した状態でカバー本体１２を碍子１に固定することができる。このため、ロープを用意し周縁部１６を支持部材１ｂに縛り止めする場合に比べて、カバー本体１２を碍子１に容易に固定することができる。
【００２８】
このように、カバー本体１２に設けられた骨格部材２１、係合部３１、紐４１および挿通部４２により、碍子カバー１１を取り付ける作業効率が向上するので取り付け作業にかかる時間を短縮することができる。
【００２９】
また、碍子カバー１１は、碍子１に取り付けた状態でも、骨格部材２１によりカバー本体１２が湾曲した状態が維持されているため、風でカバー本体１２がめくれてしまうのを抑えることができる。よって、碍子１の養生性能を高めることができる。
【００３０】
そして、碍子カバー１１を碍子１から取り外す際には、図９に示すように電線３側の支持部材１ｂに縛り付けられた紐４１をほどいてカバー本体１２の周縁部１６を緩めた後、カバー本体１２を鉄塔２側の方向（図９の矢印Ｃ方向）に縮めながら開口部１５を介してカバー本体１２内から碍子の絶縁体１ａを出していく。このときにも、カバー本体１２は骨格部材２１により湾曲した状態が維持されているため、風でカバー本体１２がなびいてしまうのを抑えることができる。
【００３１】
また、カバー本体１２を縮めていくとともに、電線３側の係合部３１から図４に示したようにフック３５から第一の留金３３を外して係合状態を解除することによりカバー本体１２の双方の縁部１４を外していく。このため、カバー本体１２に巻いて縛り止めをしたロープをほどいて取り外す場合に比べて、カバー本体１２の双方の縁部１４を容易に外すことができる。
【００３２】
そして、図１０に示すように、カバー本体１２を縮めて鉄塔２側の絶縁体１ａまで出した後、さらに鉄塔２側の支持部材１ｂに縛り付けられている紐４１をほどいてカバー本体１２の周縁部１６を緩めることによりカバー本体１２を碍子１から外すことができる。このため、周縁部１６を支持部材１ｂに縛り止めしたロープをほどいて取り外してから周縁部１６を緩める場合に比べて、カバー本体１２を碍子１から容易に外すことができる。
【００３３】
このように、碍子カバー１１を取り外す際にも、カバー本体１２に設けられた骨格部材２１、係合部３１、紐４１および挿通部４２により作業効率が向上するので、取り外し作業にかかる時間を短縮することができる。
【００３４】
また、碍子カバー１１を収容する際にはカバー本体１２を湾曲した状態のままで長さを縮めることによりコンパクトにすることができるとともに、碍子カバー１１をすぐに使用可能な状態にしておくことができる。よって、収容スペースをとらずに済み、かつ使い勝手を良くすることができる。
【００３５】
なお、本実施の形態では、カバー本体１２に骨格部材２１、係合部３１、挿通部４２を設けたものとしたが、カバー本体１２に骨格部材２１を設けていれば、碍子カバー１１の取り付けおよび取り外し作業にかかる時間を十分に短縮することができる。
【００３６】
また、骨格部材２１はカバー本体１２の内周面１３に限らず外周面に設けてもよい。さらに、骨格部材２１の構成部材としては、湾曲させたピアノ線２２と被覆シート２３とを使用したが、例えばプラスチック製の湾曲部材を使用した場合であっても本実施の形態と同様の効果を得ることができる。
【００３７】
また、紐４１を挿通させる挿通部４２はカバー本体１２の周縁部１６に沿って袋状に形成したが、例えばカバー本体１２の周縁部１６に沿って交互に紐４１を挿通させる挿通孔を形成してもよいし、ズボンに設けられているベルトの通し構造のように周縁部１６に沿って紐４１を通す帯状のシートを設けてもよい。
【００３８】
また、カバー本体１２の双方の縁部１４に設けられる係合部３１は、Ｃ字型のフック３５を上側固定金具３２ｂに固定された第二の留金３４に掛けていたが、このフック３５を直接上側固定金具３２ｂに掛けて固定し、第一の留金３３とで係合部を構成するようにしてもよい。
【００３９】
【発明の効果】
以上説明したように請求項１記載の発明においては、骨格部材によってカバー本体を湾曲した状態のままで碍子の延在方向に伸縮させることが可能となる。このため、碍子に取り付ける際には予め湾曲させて長さを縮めたカバー本体を碍子の一端側から湾曲した状態のままで碍子の他端側に伸ばすことができ、碍子から取り外す際にはカバー本体を碍子の一端側から湾曲した状態のままで碍子の他端側に縮めることができる。これにより、取り付けおよび取り外しの際には、カバー本体が風でなびいてしまうのを抑えることができるので、作業効率を向上させることができる。よって、取り付けおよび取り外し作業にかかる時間を短縮することができる。
【００４０】
また、碍子に取り付けた状態でも、骨格部材によりカバー本体が湾曲した状態が維持されるため、風でカバー本体がめくれてしまうのを抑えることができる。よって、碍子の養生性能を高めることができる。
【００４１】
また、収容する際にはカバー本体を湾曲した状態のままで長さを縮めることによりコンパクトにすることができるとともに、すぐに使用可能な状態にしておくことができる。よって、収容スペースをとらずに済み、かつ使い勝手を良くすることができる。
【００４２】
また、請求項２記載の発明においては、碍子に取り付ける際に一対の係合部を互いに係合させることによりカバー本体の双方の縁部を固定することができ、碍子から取り外す際には係合部を解除することによりカバー本体の双方の縁部を外すことができる。このため、ロープを別に用意してカバー本体の双方の縁部を固定したり外したりする場合に比べて作業効率をさらに向上させることができる。よって、取り付けおよび取り外し作業にかかる時間をさらに短縮することができる。
【００４３】
また、請求項３記載の発明においては、碍子に取り付ける際に挿通部に挿通させた紐で周縁部を引き締めて碍子の両側に縛り付けることによりカバー本体を碍子に固定することができ、碍子から取り外す際には紐をほどいて周縁部を緩めることによりカバー本体を碍子から外すことができる。このため、ロープを別に用意して、カバー本体を碍子に固定したり碍子から外したりする場合に比べて作業効率をさらに向上させることができる。よって、取り付けおよび取り外し作業にかかる時間をさらに短縮することができる。
【図面の簡単な説明】
【図１】本発明の一実施の形態を示す碍子の側面図である。
【図２】碍子カバーの側面図である。
【図３】骨格部材の縦断面図である。
【図４】係合部の拡大図である。
【図５】係合部の係合状態を示す図である。
【図６】周縁部の拡大図である。
【図７】碍子カバーを取り付ける際の初期状態を示す図である。
【図８】碍子カバーを取り付けた状態を示す図である。
【図９】碍子カバーを取り外す際の初期状態を示す図である。
【図１０】碍子カバーを取り外す際の終期状態を示す図である。
【図１１】送電線の鉄塔の模式図である。
【図１２】従来の碍子カバー取り付けた状態を示す図である。
【符号の説明】
１    碍子
１１    碍子カバー
１２    カバー本体
１４    縁部
１５    開口部
１６    周縁部
２１    骨格部材
３１    係合部
４１    紐
４２    挿通部
【図１】
0004421037.tif 000002
【図２】
0004421037.tif 000003
【図３】
0004421037.tif 000004
【図４】
0004421037.tif 000005
【図５】
0004421037.tif 000006
【図６】
0004421037.tif 000007
【図７】
0004421037.tif 000008
【図８】
0004421037.tif 000009
【図９】
0004421037.tif 000010
【図１０】
0004421037.tif 000011
【図１１】
0004421037.tif 000012
【図１２】
0004421037.tif 000013